(57)【要約】      （修正有）【課題】ソフトカバーシートを破損すること無く、表紙とのズレや、表紙からの外れを防止することができる上製本を提供する。【解決手段】表紙を構成する表ハードカバーシートと、裏ハードカバーシートと、表ハードカバーシートと裏ハードカバーシートの間に挟まれる本文シートと、表ハードカバーシート及び裏ハードカバーシートの表面を覆うソフトカバーシートとを備えた上製本であり、表ハードカバーシート１と裏ハードカバーシートの各々の裏面に、ソフトカバーシートを収容する端部収容孔５が形成されている。端部収容孔の開口部５ａ近傍には、ソフトカバーシートの折り曲げ片が出入する切り込み５ｂが形成されている。【選択図】図１
0003213898.tif 000002
【実用新案登録請求の範囲】
【請求項１】
表紙を構成する表ハードカバーシートと、裏ハードカバーシートと、
前記表ハードカバーシートと裏ハードカバーシートの間に挟まれる本文シートと、
前記表ハードカバーシート及び裏ハードカバーシートの表面を覆うソフトカバーシートと、を備え、
前記ソフトカバーシートの両端部には折り曲げ片が形成されており、該折り曲げ片は、前記表ハードカバーシートと裏ハードカバーシートの各々の裏面に形成された端部収容孔に収容されることを特徴とする上製本。
【請求項２】
端部収容孔の開口部近傍には、ソフトカバーシートの折り曲げ片が出入する切り込みが形成されていることを特徴とする請求項１に記載の上製本。
【請求項３】
断面略コの字形状の長尺なバインド部材を備え、該バインド部材の開口部に、表ハードカバーシートと裏ハードカバーシートが挿入されると共に、本文シートの外側背部は、前記バインド部材の内側背部に接着されることを特徴とする請求項１又は２に記載の上製本。
【請求項４】
本文シートの外側背部とバインド部材の内側背部とを接着する接着剤は、硬化及び軟化が繰り返し可能なホットメルト型接着剤であることを特徴とする請求項３に記載の上製本。
【請求項５】
表ハードカバーシートと裏ハードカバーシートは、バインド部材の縁部分に沿って折り曲げ自在に構成されていることを特徴とする請求項３又は４に記載の上製本。
【考案の詳細な説明】
【技術分野】
【０００１】
本考案は、表紙と、表紙の間に挟まれる本文シートと、表紙を覆うソフトカバーシートとを備えた上製本に関するものである。
【背景技術】
【０００２】
上製本は、高価な単行本や児童書などに見られ、表紙を構成する表ハードカバーシートと、裏ハードカバーシートとの間に本文シートが挟まれる構造となっており、表ハードカバーシートと裏ハードカバーシートは、本文シートよりも２〜３ミリ程度大きくなっており、且つ見返しが設けられている。また、綴じ方は、折り丁を重ね、糸でかがったものを表紙でくるむ糸綴じや、糸などを用いずに背を接着剤で止める無線綴じなどがある。
【０００３】
このような上製本は、表紙をさらに保護すると共に、高級感を醸し出すために、表紙を覆うソフトカバーシートを備えたものが知られている。このソフトカバーシートは、両端部に折り曲げ片を備えており、この折り曲げ片が表紙の裏面側に位置することで本文シートとの間に挟まれる構造となっているが、ズレ易く、表紙から外れてしまう場合もあった。
【０００４】
上記欠点を解消する考案としてソフトカバーシートの両端部の上下に粘着剤を塗布する考案が知られている（特許文献１）。
【先行技術文献】
【特許文献】
【０００５】
【特許文献１】実開昭６２−５５４６７号公報
【考案の概要】
【考案が解決しようとする課題】
【０００６】
特許文献１に記載のソフトカバーシートは、表紙に確実に固定されることからソフトカバーシートズレや表紙から外れるという問題は解消するものの、ソフトカバーシートに外力が加えられた場合に、折り曲げ片の折り曲げ箇所から破れが生じる場合があるという課題を有していた。
【０００７】
本考案は、上記従来の考案が有する課題を解決するためになされたものであり、ソフトカバーシートを破損すること無く、表紙とのズレや、表紙からの外れを防止することができる上製本を提供することを目的とする。
【課題を解決するための手段】
【０００８】
請求項１の考案では、表紙を構成する表ハードカバーシートと、裏ハードカバーシートと、前記表ハードカバーシートと裏ハードカバーシートの間に挟まれる本文シートと、前記表ハードカバーシート及び裏ハードカバーシートの表面を覆うソフトカバーシートと、を備え、前記ソフトカバーシートの両端部には折り曲げ片が形成されており、該折り曲げ片は、前記表ハードカバーシートと裏ハードカバーシートの各々の裏面に形成された端部収容孔に収容されることを特徴としている。
【０００９】
したがって、ソフトカバーシートの両端部が端部収容孔に収容されることによって、表紙とのズレや、表紙からの外れを防止することができ、高級感のある上製本を提供することができる。
【００１０】
また、請求項２の考案では、請求項１の考案において、端部収容孔の開口部近傍には、ソフトカバーシートの折り曲げ片が出入する切り込みが形成されていることを特徴としている。したがって、ソフトカバーシートの端部を端部収容孔に収容するに際してスムースに収容することができると共に、外力によって、ソフトカバーシートが多少動いた場合には、切り込みの外側に逃げることができるので、ソフトカバーシートの破損を防ぐことができる。
【００１１】
また、請求項３の考案では、請求項１又は２の考案において、断面略コの字形状の長尺なバインド部材を備え、該バインド部材の開口部に、表ハードカバーシートと裏ハードカバーシートが挿入されると共に、本文シートの外側背部は、前記バインド部材の内側背部に接着されることを特徴としている。したがって、断面略コの字形状のバインド部材内に接着剤が留まるので、本文シートを確実に無線綴じすることができる。
【００１２】
また、請求項４の考案では、請求項３の考案において、本文シートの外側背部とバインド部材の内側背部とを接着する接着剤は、硬化及び軟化が繰り返し可能なホットメルト型接着剤であることを特徴としている。したがって、ホットメルト型接着剤を使用することによって、製本後であっても繰り返し本文シートの枚数を変えることができる。
【００１３】
また、請求項５の考案では、請求項３又は４の考案において、表ハードカバーシートと裏ハードカバーシートは、バインド部材の縁部分に沿って折り曲げ自在に構成されていることを特徴としている。したがって、バインド部材の縁部分に沿って折り曲げることによって見栄えの良い見開きを容易に作成することができる。
【考案の効果】
【００１４】
請求項１の考案は、ソフトカバーシートの表紙とのズレや、表紙からの外れを防止することができ、高級感のある上製本を提供することができる。また、請求項２の考案は、ソフトカバーシートの破損を防ぐことができる。また、請求項３の考案は、本文シートを確実に無線綴じすることができる。また、請求項４の考案は、製本後であっても繰り返し本文シートの枚数を変えることができる。さらに、請求項５の考案は、見栄えの良い見開きを容易に作成することができる。
【図面の簡単な説明】
【００１５】
【図１】本考案に係る上製本の表ハードカバーシートの裏面の構造を示す説明図である。
【図２】本考案に係る上製本のソフトカバーシートを示す斜視図である。
【図３】本考案に係る上製本の構造を示す説明図である。
【図４】本考案に係る上製本の斜視図である。
【図５】図４のＣ部分の拡大斜視図である。
【考案を実施するための形態】
【００１６】
次に、本考案の実施形態を図面に基づいて説明する。図１は、本考案に係る上製本の表ハードカバーシートの裏面の構造を示す説明図であり、図２は、本考案に係る上製本のソフトカバーシートを示す斜視図である。また、図３は、本考案に係る上製本の構造を示す説明図であり、図４は、本考案に係る上製本の斜視図である。また、図５は、図４のＣ部分の拡大斜視図である。これらの図面を用いて本考案に係る上製本について説明する。
【００１７】
本考案に係る上製本１０は、表紙を構成する表ハードカバーシート１と、裏ハードカバーシート２と、表ハードカバーシート１と裏ハードカバーシート２の間に挟まれる本文シート３と、表ハードカバーシート１及び裏ハードカバーシート２の表面を覆うソフトカバーシート４とを備えている。表ハードカバーシート１と裏ハードカバーシート２は、好適にデザインされた薄いシート状の薄紙１ａ（２ａ）で厚紙１ｂ（２ｂ）を覆い、厚紙１ｂ（２ｂ）が入っていない薄紙１ａ（２ａ）の端部が、後述するバインド部材６の縁部分６ｃの高さより若干高く、製本後に表ハードカバーシート１及び裏ハードカバーシート２が折り曲げ自在となるように形成されている（図５参照）。
【００１８】
そして、表ハードカバーシート１と裏ハードカバーシート２の各々の裏面には、図１に示すように端部収容孔５が形成されている。この端部収容孔５は、表ハードカバーシート１と裏ハードカバーシート２の各々の裏面に、長方形状の１枚の紙を、斜線で示す部分だけ糊付けして貼ることにより形成される。これにより、開口部５ａと、切り込み５ｂ、５ｂも形成される。
【００１９】
開口部５ａの長さは上製本の大きさによって決定されるものであるが、切り込み５ｂの長さＡは，約１０ｍｍにするのが好ましく、端部収容孔５の深さＢは、８０ｍｍ〜１００ｍｍにするのが好ましい。
【００２０】
図２に示すソフトカバーシート４は、表ハードカバーシート１及び裏ハードカバーシート２の表面を覆うカバーであり、トレーシングペーパーや上質紙で作成される。また、ソフトカバーシート４の両端部には折り曲げ片４ａ、４ａが形成されている。この折り曲げ片４ａの幅方向の長さは、９０ｍｍ〜１１０ｍｍにするのが好ましい。そして、折り曲げ片４ａ、４ａは、前述した表ハードカバーシート１と裏ハードカバーシート２の各々の裏面に形成されている端部収容孔５、５に収容されることにより、上製本１０の表紙と一体化される。
【００２１】
ここで、切り込み５ｂが開口部５ａの近傍に形成されていることから、折り曲げ片４ａを端部収容孔５へ収容するに際してスムースに収容することができると共に、外力によって、ソフトカバーシート４が多少動いた場合には、折り曲げ片４ａの対応する箇所が切り込み５ｂの外側に逃げることができるので、ソフトカバーシート４の破損を防ぐことができる。
【００２２】
次に、本考案に係る上製本１０に使用するバインド部材６について説明する。バインド部材６は、スチールや熱伝導性の良い部材を利用し、断面略コの字形状の長尺な部材として形成され、内側背部６ａを除いてその周囲をバインド紙６ｂで覆い、接着剤で貼り付けて形成される。
【００２３】
以下、上述したバインド部材６を利用した上製本の製本手順を説明する。先ず、バインド部材６の内側背部６ａ及び、バインド部材６の左右の内側縁部分６ｄ、６ｄに、ホットメルト型接着剤７を塗布する。表ハードカバーシート１及び裏ハードカバーシート２は、各々、バインド部材６の左右の内側縁部分６ｄ、６ｄに当接させ、且つ、本文シート３は、表ハードカバーシート１及び裏ハードカバーシート２の間に挟み、バインド部材６の内側背部６ａに、その外側背部３ａを当接させる。次に、バインド部材６の外側から均一に熱を加え、ホットメルト型接着剤７を１６０度程度になるように加熱し軟化させ、常温に戻して硬化させることにより、バインド部材６に、表ハードカバーシート１、裏ハードカバーシート２及び本文シート３を接着する。因みに、軟化したホットメルト型接着剤７は本文シート３に浸透し、常温に戻すことによって硬化するが、硬化にともなって接着力が発揮される。
【００２４】
上製本１０の本文シート３を追加する際には、先ず、上製本１０の背部を加熱して、ホットメルト型接着剤７を軟化させる。この状態では、ホットメルト型接着剤７の接着力が低下しているので、バインド部材６に接着された本文シート３を剥がすことができる。次に、追加される本文シート３を加えた厚みのバインド部材６を用意して、上述した製本の手順に従って製本する。これにより、バインダーにファイルする感覚で本文シート３の追加や取り外しが可能になる。尚、ホットメルト型接着剤７は、常温では固体であり、１６０℃程度で接着に十分な流動性をもつようになる線状高分子の共重合物である。また、軟化温度の低い接着剤７を用いた場合には、バインド部材１の材質を、例えば、ポリオレフィンやポリ塩化ビニル等なとの合成樹脂とすることもできる。
【００２５】
尚、本文シート３を追加しない上製本１０の場合には、前述したホットメルト型接着剤７を使用しないで、紙と金属又は紙と合成樹脂の接着に適した接着剤を使用することによって、バインド部材６に、表ハードカバーシート１、裏ハードカバーシート２及び本文シート３を接着することができる。また、無線綴じでは固化した接着剤が割れて本文シート３が抜け落ちる場合があるが、バインド部材６を使用することにより、背割れを防止して本文シート３が抜け落ちるのを防ぐことができる。
【００２６】
また、前述したように、表ハードカバーシート１と裏ハードカバーシート２は、薄いシート状の薄紙１ａ（２ａ）で厚紙１ｂ（２ｂ）を覆い、厚紙１ｂ（２ｂ）が入っていない薄紙１ａ（２ａ）の端部が、バインド部材６の縁部分６ｃの高さより若干高くすることによって、表ハードカバーシート１と裏ハードカバーシート２は、バインド部材６の縁部分６ｃに沿って折り曲げ自在とすることができるので、バインド部材の縁部分に沿って折り曲げることによって見栄えの良い見開きを容易に作成することができる。
【産業上の利用可能性】
【００２７】
本考案の上製本は、表紙と、表紙の間に挟まれる本文シートと、表紙を覆うソフトカバーシートとを備えた上製本として使用される。
【符号の説明】
【００２８】
１  表ハードカバーシート
１ａ、２ａ  薄紙
１ｂ、２ｂ  厚紙
２  裏ハードカバーシート
３  本文シート
３ａ  外側背部
４  ソフトカバーシート
４ａ  折り曲げ片
５  端部収容孔
５ａ  開口部
５ｂ  切り込み
６  バインド部材
６ａ  内側背部
６ｂ  バインド紙
６ｃ  縁部分
６ｄ  内側縁部分
７  ホットメルト型接着剤
１０  上製本
【図１】
0003213898.tif 000003
【図２】
0003213898.tif 000004
【図３】
0003213898.tif 000005
【図４】
0003213898.tif 000006
【図５】
0003213898.tif 000007